(57)【要約】【課題】作業性の向上を図ることが可能なコネクタ接続構造を提供する。【解決手段】コネクタ接続構造は、扁平接続部材１の先端部３とハウジング６とコンタクト７とカバー８とペグ９とを備える。複数のコンタクト７を設けた状態のハウジング６にカバー８を組み付けて挿入口３７と収容部１２とが形成される。ハウジング６にペグ９を組み付けると係合部３０が収容部１２に配置される。挿入口３７を介して先端部３が収容部１２に差し込み収容されると係合部３０が弾性変形した後に先端部３の被係合部４に係合して先端部３が固定される。【選択図】図１
2016046003.tif 000002
【特許請求の範囲】
【請求項１】
複数の回路を有する扁平接続部材と、該扁平接続部材に対するコネクタとの電気的な接続を行うコネクタ接続構造において、
当該コネクタ接続構造は、前記扁平接続部材の先端部と、ハウジングと、複数のコンタクトと、カバーと、ペグと、を備えて構成され、
前記先端部には、被係合部が形成され、
前記ペグは、前記ハウジングに着脱自在に形成されるハウジング着脱部と、該ハウジング着脱部に連成され弾性を有する係合部を備えるロック部と、からなり、
前記複数のコンタクトを設けた状態の前記ハウジングに前記カバーを組み付けることによって前記先端部に対する挿入口と、該挿入口に連続する収容部とが形成され、
前記ハウジングに前記ペグを組み付けると前記係合部が前記収容部に配置され、
前記挿入口を介して前記先端部が前記収容部に差し込み収容されると前記係合部が前記先端部によって弾性変形した後に復帰し前記被係合部に係合して前記先端部が固定される
ことを特徴とするコネクタ接続構造。
【請求項２】
請求項１に記載のコネクタ接続構造において、
前記被係合部は、前記係合部が係合可能な係合孔として形成され、
前記係合部は、前記先端部が前記挿入口に挿入されたときに前記先端部が当接する部分をテーパー状に形成する
ことを特徴とするコネクタ接続構造。
【請求項３】
請求項１又は２に記載のコネクタ接続構造において、
前記ハウジングは、前記カバーをスライド可能に組み付けることができるように設けたスライド溝、又は、前記カバーをスライド可能に組み付けることができるように設けたスライド凸部を有し、
前記カバーは、前記ハウジングに組み付けるときに前記ハウジングのスライド溝にスライド可能に挿入されるスライド凸部、又は、前記ハウジングに組み付けるときに前記ハウジングのスライド凸部がスライド可能に挿入されるスライド溝と、第１押圧部及び第２押圧部と、を有する部材に形成され、
前記ロック部は、
前記カバーを前記ハウジングに組み付けた状態で前記カバーを前記組み付け方向に押し込むと前記第１押圧部に押圧され弾性変形して前記カバーのスライドを許容する弾性接触部と，
前記カバーを前記ハウジングに組み付けたときに前記第２押圧部が当接し、前記カバーを前記組み付け方向に押し込むと前記第２押圧部に押圧され弾性変形した後に前記係合部と前記被係合部との係合を解除する解除部と，
を備える
ことを特徴とするコネクタ接続構造。
【請求項４】
請求項１、２又は３に記載のコネクタ接続構造において、
前記ロック部には、前記係合部の近傍に前記先端部の挿入方向に直交してスリットが形成される
ことを特徴とするコネクタ接続構造。
【請求項５】
請求項１、２、３又は４に記載のコネクタ接続構造において、
前記ペグには、前記ハウジングを基板に固定する基板固定部を設け、且つ、金属製によって形成されるものである
ことを特徴とするコネクタ接続構造。
【発明の詳細な説明】
【技術分野】
【０００１】
本発明は、複数の回路を有する扁平接続部材と、扁平接続部材に対するコネクタとの電気的な接続を行うコネクタ接続構造に関する。
【背景技術】
【０００２】
回路基板に対する外部からの電気的な接続をするために、回路基板にはコネクタが設けられる。このコネクタは、扁平接続部材を接続することができる構成及び構造を有する。扁平接続部材は、フレキシブルプリント回路基板（ＦＰＣ）やフレキシブルフラットケーブル（ＦＦＣ）などの扁平形状の電気的な接続部材であって、単にフラットケーブルと呼ばれることもある。
【０００３】
下記特許文献１には、複数の回路を有する扁平接続部材と、扁平接続部材に対するコネクタとの電気的な接続を行うコネクタ接続構造が開示される。
このコネクタ接続構造では、コネクタ側の構成部材として、ハウジングとカバーとが備えられている。扁平接続部材とコネクタとの電気的な接続は、まず、扁平接続部材の先端部をハウジングの挿入口の奥まで挿入し嵌合させる。つぎに、カバーを閉方向に回動させ閉状態にさせる。そして、カバーの下面は、扁平接続部材に当接して下方に向いた力を付与する。これにより、扁平接続部材の表面に露出している導電線のコンタクト範囲が端子のコンタクト部に当接して導電線と端子とが電気的に接続され、扁平接続部材とコネクタとの接続が完了する。
したがって、このコネクタ接続構造では、扁平接続部材をハウジングの挿入口に挿入し嵌合させた後、カバーを閉状態にすることで扁平接続部材とコネクタとを電気的に接続させていることから、扁平接続部材とコネクタとの嵌合及び電気的な接続に２アクションを要していた。
【先行技術文献】
【特許文献】
【０００４】
【特許文献１】特開２０１２−９９４９８号公報
【発明の概要】
【発明が解決しようとする課題】
【０００５】
上記従来技術にあっては、扁平接続部材とコネクタとの嵌合及び電気的な接続を完了させるために２アクションになるカバーの閉方向への回動が必要になることから、作業性が悪いというような問題点があった。
【０００６】
本発明は、上記した事情に鑑みてなされたもので、作業性の向上を図ることが可能なコネクタ接続構造を提供することを課題とする。
【課題を解決するための手段】
【０００７】
上記課題を解決するためになされた請求項１記載の本発明のコネクタ接続構造は、複数の回路を有する扁平接続部材と、該扁平接続部材に対するコネクタとの電気的な接続を行うコネクタ接続構造において、当該コネクタ接続構造は、前記扁平接続部材の先端部と、ハウジングと、複数のコンタクトと、カバーと、ペグと、を備えて構成され、前記先端部には、被係合部が形成され、前記ペグは、前記ハウジングに着脱自在に形成されるハウジング着脱部と、該ハウジング着脱部に連成され弾性を有する係合部を備えるロック部と、からなり、前記複数のコンタクトを設けた状態の前記ハウジングに前記カバーを組み付けることによって前記先端部に対する挿入口と、該挿入口に連続する収容部とが形成され、前記ハウジングに前記ペグを組み付けると前記係合部が前記収容部に配置され、前記挿入口を介して前記先端部が前記収容部に差し込み収容されると前記係合部が前記先端部によって弾性変形した後に復帰し前記被係合部に係合して前記先端部が固定されることを特徴とする。
【０００８】
このような特徴を有する本発明は、扁平接続部材の先端部を挿入口を介して収容部に差し込み収容するだけで、係合部が弾性変形した後に被係合部に係合して先端部が固定され、扁平接続部材とコネクタとの嵌合及び電気的な接続が完了する。本発明は、扁平接続部材の先端部を挿入口を介して収容部に差し込み収容する１アクションだけでよい。
【０００９】
請求項２記載の本発明のコネクタ接続構造は、請求項１に記載のコネクタ接続構造において、前記被係合部は、前記係合部が係合可能な係合孔として形成され、前記係合部は、前記先端部が前記挿入口に挿入されたときに前記先端部が当接する部分をテーパー状に形成することを特徴とする。
【００１０】
このような特徴を有する本発明は、扁平接続部材の先端部を挿入口を介して収容部に差し込むと、係合部のテーパー状に形成された部分に当接する。本発明は、扁平接続部材の先端部をさらに差し込んでいくと先端部が係合部のテーパー状に形成された部分に摺接しながら係合部を乗り越え先端部の係合孔に係合部が係合する。
【００１１】
請求項３記載の本発明のコネクタ接続構造は、請求項１又は２に記載のコネクタ接続構造において、前記ハウジングは、前記カバーをスライド可能に組み付けることができるように設けたスライド溝、又は、前記カバーをスライド可能に組み付けることができるように設けたスライド凸部を有し、前記カバーは、前記ハウジングに組み付けるときに前記ハウジングのスライド溝にスライド可能に挿入されるスライド凸部、又は、前記ハウジングに組み付けるときに前記ハウジングのスライド凸部がスライド可能に挿入されるスライド溝と、第１押圧部及び第２押圧部と、を有する部材に形成され、前記ロック部は、前記カバーを前記ハウジングに組み付けた状態で前記カバーを前記組み付け方向に押し込むと前記第１押圧部に押圧され弾性変形して前記カバーのスライドを許容する弾性接触部と，前記カバーを前記ハウジングに組み付けたときに前記第２押圧部が当接し、前記カバーを前記組み付け方向に押し込むと前記第２押圧部に押圧され弾性変形した後に前記係合部と前記被係合部との係合を解除する解除部と，を備えることを特徴とする。
【００１２】
このような特徴を有する本発明は、カバーを、第１押圧部と、第２押圧部とを有する部材に形成する。また、ロック部は、カバーをハウジングに組み付けた状態でカバーを組み付け方向に押し込むと第１押圧部に押圧され弾性変形してカバーのスライドを許容する弾性接触部と、カバーをハウジングに組み付けたときに第２押圧部が当接し、カバーを組み付け方向に押し込むと第２押圧部に押圧され弾性変形した後に係合部と被係合部との係合を解除する解除部とを有する部材に形成する。そして、扁平接続部材の先端部を挿入口を介して収容部に差し込み収容した状態でカバーを組み付け方向に押し込むと弾性接触部が第１押圧部に押圧され弾性変形してカバーのスライドを許容する。このとき、解除部が第２押圧部に押圧され弾性変形した後に係合部と被係合部との係合を解除する。
以上のように、扁平接続部材の先端部を収容部に差し込み収容した状態で、カバーを組み付け方向に押し込むだけで、弾性接触部が弾性変形してカバーのスライドを許容するとともに、解除部が弾性変形した後に係合部と被係合部との係合を解除する。すなわち、本発明は、カバーを組み付け方向に押し込むだけで扁平接続部材とコネクタとの嵌合を解除することができる。
【００１３】
請求項４記載の本発明のコネクタ接続構造は、請求項１、２又は３に記載のコネクタ接続構造において、前記ロック部には、前記係合部の近傍に前記先端部の挿入方向に直交してスリットが形成されることを特徴とする。
【００１４】
このような特徴を有する本発明は、ロック部の係合部の近傍に先端部の挿入方向に直交してスリットを形成することにより、扁平接続部材の先端部を挿入口を介して収容部に差し込んで先端部が係合部を乗り越えようとするときに係合部の弾性変形が容易となる。また、カバーを組み付け方向に押し込んで解除部を第２押圧部によって押圧したときに係合部の弾性変形が容易となる。
【００１５】
請求項５記載の本発明のコネクタ接続構造は、請求項１、２、３又は４に記載のコネクタ接続構造において、前記ペグは、前記ハウジングを基板に固定する基板固定部を設け、且つ、金属製によって形成されるものであることを特徴とする。
【００１６】
このような特徴を有する本発明は、ペグの基板固定部を介してハウジングを基板に固定することができる。また、ペグが金属製であるため、必要に応じて基板に対してアース接続をすることができる。
【発明の効果】
【００１７】
請求項１に記載された本発明によれば、扁平接続部材の先端部を挿入口を介して収容部に差し込み収容する１アクションだけでよいことから、従来よりも作業性の向上を図ることができるという効果を奏する。
【００１８】
請求項２に記載された本発明によれば、先端部を挿入口に差し込んでいくと先端部が係合部のテーパー状に形成された部分に摺接しながら係合部を乗り越え先端部の被係合部に係合部が係合するため、係合部を被係合部に係合し易くなる。したがって、より確実に作業性の向上を図ることができるという効果を奏する。
また、先端部の被係合部は係合孔として形成されているため、係合部が係合孔に係合することにより、扁平接続部材とコネクタとの嵌合を、より確実にすることができるという効果を奏する。
【００１９】
請求項３に記載された本発明によれば、カバーを組み付け方向に押し込むだけで扁平接続部材とコネクタとの嵌合を解除することができる。したがって、従来よりも作業性の更なる向上を図ることができるという効果を奏する。
【００２０】
請求項４に記載された本発明によれば、ロック部の係合部の近傍に先端部の挿入方向に直交してスリットを形成することにより、係合部と被係合部とを係合するとき、又は、係合部と被係合部との係合を解除するときの係合部の弾性変形が容易となる。したがって、より確実に作業性の向上を図ることができるという効果を奏する。
【００２１】
請求項５に記載された本発明によれば、ペグは基板固定部が基板に固定されるため位置ズレを起こすことが無くなる。これにより、先端部を挿入口に差し込んでいったときに係合部を確実に被係合部に係合することができる。したがって、より確実に作業性の向上を図ることができるという効果を奏する。
また、本発明によれば、ペグの基板固定部を介してハウジングを基板に固定することができるため、コネクタを基板に確実に固定することができる。したがって、扁平接続部材とコネクタを確実に嵌合することができるという効果を奏する。
さらに、本発明によれば、ペグが金属製であるため、ペグを介して、基板とアース接続することができる。したがって、扁平接続部材とコネクタとの電気的な接続を、より確実にすることができるという効果を奏する。
【図面の簡単な説明】
【００２２】
【図１】本発明のコネクタ接続構造の実施例１を示す分解斜視図である。
【図２】図１におけるハウジングの拡大斜視図及びペグの斜視図である。
【図３】扁平接続部材とコネクタとの嵌合前の状態を示す斜視図である。
【図４】扁平接続部材とコネクタとの嵌合状態を示す斜視図である。
【図５】図４におけるＣ−Ｃ間断面図である。
【図６】本発明のコネクタ接続構造の実施例２を示す斜視図である。
【図７】図６（ａ）に図示するハウジングにカバーを組み付けた状態におけるＥ−Ｅ間断面図
【発明を実施するための形態】
【００２３】
以下、図１ないし図５を参照しながら、本発明に係るコネクタ接続構造の実施例１について、また、図６及び図７を参照しながら、本発明に係るコネクタ接続構造の実施例２について、それぞれ説明する。
【実施例１】
【００２４】
図１ないし図５には、本発明に係るコネクタ接続構造の実施例１が示されている。
図１は本発明のコネクタ接続構造の実施例１を示す分解斜視図、図２（ａ）は図１に図示するハウジングにおける矢印Ａが指示する部分の拡大斜視図、（ｂ）はペグの斜視図、図３は扁平接続部材とコネクタとの嵌合前の状態を示す斜視図、図４は扁平接続部材とコネクタとの嵌合状態を示す斜視図、図５は図４におけるＣ−Ｃ間断面図である。
なお、図中の矢印Ｐは上下方向を示すものとする。また、矢印Ｑは左右方向を、矢印Ｒは前後方向を示すものとする（各矢印の方向は一例であるものとする）。
【００２５】
図１において、本発明に係るコネクタ接続構造は、扁平接続部材１と、コネクタ２との電気的な接続を行う構造である。
まず、扁平接続部材１及びコネクタ２の構成及び構造について説明する。
【００２６】
扁平接続部材１は、所謂フラットケーブルであって、具体的にはフレキシブルプリント回路基板（ＦＰＣ：Flexible Printed Circuit）やフレキシブルフラットケーブル（ＦＦＣ：Flexible Flat Cable）などの扁平形状の電気的な接続部材が該当する。扁平接続部材１は、所定の幅、回路数、長さ等の諸条件を具備して形成される。
【００２７】
扁平接続部材１の端部には、コネクタ２との電気的な接続を行うためのコネクタ接続部３が形成される。このコネクタ接続部３は、コネクタ２の後述する接続部材収容部１２に収容される部分として形成される。コネクタ接続部３の下面は、回路が複数露出するように形成される。コネクタ接続部３の左右両側には、接続部材側係合孔４がそれぞれ形成される。この一対の接続部材側係合孔４は、扁平接続部材１側の係合部分として形成される。一対の接続部材側係合孔４は、矩形に貫通する形状に形成される。
【００２８】
コネクタ２は、例えば半導体素子やＩＣチップ等を有するプリント基板（図示せず）のエッジ近傍に実装されるものである。このようなコネクタ２は、ハウジング６と、複数のコンタクト７と、カバー８と、一対のペグ９とを備えて構成される。
コネクタ２は、以下の説明から分かるようになるが、従来例よりも作業性の向上が図られたものになる。
【００２９】
図１において、ハウジング６は、樹脂成形品であって絶縁性を有する。尚、樹脂材料は公知の一般的な材料が用いられ、ここでの説明は省略する。ハウジング６は、ハウジング基部１０と、一対の側壁部１１とを有して図示形状に形成される。
【００３０】
ハウジング基部１０は、平面視長方形状、且つ正面視略平板状の部分に形成される。ハウジング基部１０の上面は、図１に図示するように、後述する部分によって段付きの形状に形成される。一方、下面、前面（前端）、後面（後端）などは平坦な面の形状に形成される。ハウジング基部１０の上面は、接続部材収容部１２及び挿入口３７が形成される部分となっている。
また、この接続部材収容部１２に対して段付きになるように、収容開始時案内部１３と、収容時ガイド部１４と、接続部材突き当て部１５とが突出形成される。さらに、ハウジング基部１０の上面には、一対の被係止部３５が形成される。
【００３１】
接続部材収容部１２は、ハウジング６にカバー８を組み付けることによって形成され、扁平接続部材１のコネクタ接続部３を収容する部分として形成される。また、接続部材収容部１２は、コネクタ接続部３の下面が載置される広さの部分として形成される。接続部材収容部１２の中央部分には、コンタクト露出部１６が形成される。このコンタクト露出部１６は、複数のコンタクト７の後述する電気接触部２２を露出させる部分として形成される。
【００３２】
挿入口３７は、ハウジング６にカバー８を組み付けることによって接続部材収容部１２に連続して形成される。挿入口３７は、扁平接続部材１とコネクタ２とを嵌合する際に、扁平接続部材１のコネクタ接続部３を挿入する部分として形成される。挿入口３７の左右方向の幅及び上下方向の高さは、扁平接続部材１のコネクタ接続部３が挿通可能な大きさに形成される。
【００３３】
一対の収容開始時案内部１３は、接続部材収容部１２に向けて扁平接続部材１を挿入する際の開始部分、すなわちハウジング基部１０の前面（前端）に連続する位置に配置形成される。一対の収容開始時案内部１３は、仮に扁平接続部材１のコネクタ接続部３が位置ズレした状態で挿入されても、この位置ズレを修正して所定位置に案内することができるテーパ状の部分に形成される。
【００３４】
一対の収容時ガイド部１４は、一対の収容開始時案内部１３に連成される。このような一対の収容時ガイド部１４は、扁平接続部材１を収容する際のガイド部分として形成される。また、一対の収容時ガイド部１４は、扁平接続部材１を収容した後の左右方向のズレを防止する部分としても形成される。
【００３５】
接続部材突き当て部１５は、扁平接続部材１を収容する際の挿入量（長さ）を規制する部分としてハウジング基部１０の後面（後端）側に配置形成される。接続部材突き当て部１５に突き当たるまで扁平接続部材１のコネクタ接続部３が挿入されると、接続部材収容部１２に対する収容が完了する。
【００３６】
一対の側壁部１１は、ハウジング基部１０の左端及び右端に連続するとともに、上方に突出して高さの低い壁状の部分に形成される。また、一対の側壁部１１は、ハウジング基部１０の前面位置から後面位置にかけて真っ直ぐのびるように形成される。このような一対の側壁部１１は、左右対称の形状に形成される。なお、左右対称の形状であることから、以下、一方の側壁部１１のみについて説明をする。
【００３７】
側壁部１１には、スライド溝１８と、差し込み固定部１９とが形成される。スライド溝１８は、接続部材収容部側の側面に、後述するカバー８のスライド凸部２５がスライド可能に組み付けることができる凹状に形成される。本実施例では、側壁部１１にスライド溝１８を形成する構成であるが、後述するようにカバー８の左右両側部にスライド溝（図示せず）を設ける場合には、側壁部１１にスライド凸部（図示ぜず）が形成される。スライド凸部は、カバー８のスライド溝にスライド可能に組み付けることができる凸状に形成されるものとする。
差し込み固定部１９は、側壁部１１の前面位置から側壁部１１の中間部にかけて真っ直ぐのびるように形成される切り欠き部である。差し込み固定部１９はペグ９の後述するハウジング着脱部２９の肉厚分の切り欠き部として形成され、ペグ９のハウジング着脱部２９を差し込み固定することができるように形成されている。
【００３８】
コネクタ側係合孔１７は、ハウジング基部１０の上面に矩形に貫通する形状に形成される。コネクタ側係合孔１７は、ペグ９をハウジング６に装着したときに、後述するペグ９の係合部３０が係合する位置に形成される。
【００３９】
複数のコンタクト７は、導電性を有する金属材料を加工してなる端子であって、プリント基板の回路パターン（図示せず）と、扁平接続部材１の回路とを電気的に接続するための部材として備えられる。複数のコンタクト７は、全て同じ形状のものに形成され、モールド部（符号省略）と、このモールド部の一端に連続する基板接続部２１と、モールド部の他端に連続する電気接触部２２とを有する。このような複数のコンタクト７は、プリント基板の回路パターンに対する接続位置が交互に異なるような並びで配置される。
【００４０】
上記モールド部は、ハウジング基部７にインサート成形される部分として形成される。基板接続部２１は、ハウジング基部１０の前面（前端）又は後面（後端）から導出されて上記回路パターンに半田付けされる略脚状の部分として形成される。一方、電気接触部２２は、扁平接続部材１におけるコネクタ接続部３の下面に露出する図示しない回路に接触する部分として形成される。電気接触部２２は、アーム形状に形成されて弾力性を有する。
【００４１】
カバー８は、図１及び図５に図示するように、樹脂成形品であって絶縁性を有する。なお、樹脂材料は公知の一般的な材料が用いられ、ここでの説明は省略する。カバー８は、カバー基部２３と、一対のスライド凸部２５と、一対のカバー側係止部２６と、第１押圧部２７と、第２押圧部２８とを有して図示形状に形成される。
カバー基部２３は、ハウジング６の接続部材収容部１２を覆うような平面視略長方形状、且つ正面視略平板状の部分に形成される。
【００４２】
一対のスライド凸部２５は、カバー基部２３の左右両側部から突出して形成される。スライド凸部２５は、ハウジング６の一対の側壁部１１に形成されるスライド溝１８にスライド可能に組み付けることができる凸状に形成される。
本実施例では、カバー基部２３の左右両側部にスライド凸部２５を形成する構成であるが、先に説明した通り、ハウジング６の側壁部１１にスライド凸部（図示ぜず）が形成される場合にはカバー基部２３の左右両側部にスライド溝（図示せず）が形成される。カバー基部２３のスライド溝は、ハウジング６の側壁部１１のスライド凸部にスライド可能に組み付けることができる凹状に形成される。
【００４３】
一対のカバー側係止部２６は、カバー基部２３の所定位置に配置形成される。一対のカバー側係止部２６は、ハウジング６の接続部材突き当て部１５の上面に形成される一対の被係止部３５に係止することができるように形成される。
【００４４】
第１押圧部２７は、図５に図示するように、カバー基部２３の下面に形成される。第１押圧部２７は、カバー８をハウジング６に組み付けたときに後述するペグ９の弾性接触部３１に当接する部分として形成される。
また、第２押圧部２８は、図５に図示するように、カバー基部２３の下面に形成される。第１押圧部２７は、カバー８をハウジング６に組み付けたときに後述するペグ９の解除部３３に当接する部分として形成される。
【００４５】
図２に図示するペグ９は、ハウジング６をプリント基板に固定し、プリント基板にアース接続するための部材であるとともに、扁平接続部材１のコネクタ接続部３を接続部材収容部１２内に固定する機能を備えた部材である。ペグ９は、バネ性を有する帯状の金属板を折り曲げ加工することにより図示形状に形成される。
【００４６】
ペグ９は、基板固定部３８と、ハウジング着脱部２９と、ロック部２０とを有して図示形状に形成される。ペグ９は、ハウジング６に着脱自在となる部材であって、ハウジング６に装着されるとロック部２０が接続部材収容部１２に配置されるように形成される。
基板固定部３８は、プリント基板に固定される部分として形成される。すなわち、基板固定部３８は、ハウジング６をプリント基板に固定するための部分として形成される。
【００４７】
ハウジング着脱部２９は、基板固定部３８に連成され、ハウジング６に着脱自在になる部分として形成される。具体的には、ハウジング６の側壁部１１に形成される差し込み固定部１９に差し込み固定される部分と、ハウジング６の外側に導出される部分とを有する形状に形成される。
【００４８】
ロック部２０は、ハウジング着脱部２９に連成され、扁平接続部材１のコネクタ接続部３を接続部材収容部１２内に固定するための部分として形成される。ロック部２０は、係合部３０と、弾性接触部３１と、解除部３３と、平面部３６とを備えて構成される。
係合部３０は、後述する平面部３６を介してハウジング着脱部２９に連成される。係合部３０は、扁平接続部材１のコネクタ接続部３に設けられる接続部材側係合孔４に係合する部分として形成される。係合部３０には、テーパー部３４が形成される。テーパー部３４は、後述するように扁平接続部材１のコネクタ接続部３を接続部材収容部１２に向けて挿入したときに、コネクタ接続部３が摺接する部分として形成されている。係合部３０は、扁平接続部材１のコネクタ接続部３を接続部材収容部１２に向けて挿入しコネクタ接続部３がテーパー部３４を摺接していくと弾性変形するように形成される。
【００４９】
弾性接触部３１は、ハウジング着脱部２９に連成され、ハウジング６に組み付けた状態のカバー８を組み付け方向に押し込むとカバー８の第１押圧部２７が当接して弾性変形し、カバー８のスライドを許容する部分として形成される。
【００５０】
解除部３３は、係合部３０に連成され、カバー８をハウジング６に組み付けたときにカバー８の第２押圧部２８が当接する部分として形成される。解除部３３は、ハウジング６に組み付けた状態のカバー８を組み付け方向に押し込むと弾性変形し、係合部３０と接続部材側係合孔４との係合を解除することができるように形成される。
平面部３６は、ハウジング着脱部２９に連成されるとともに、係合部３０に連成される平板状の部分として形成される。
【００５１】
ペグ９には、係合部３０の近傍にスリット３２が形成される。スリット３２は、係合部３０と弾性接触部３１との間に挟まれる位置に形成される。スリット３２は、ペグ９をハウジング６に組み付けた状態において、扁平接続部材１のコネクタ接続部３を接続部材収容部１２に向けて挿入する方向に対する直交方向に直線状に形成される（このように係止部３０の近傍にスリット３２を形成することにより係止部３０と、係止部３０に連成される解除部３３とが弾性変形し易くなる）。
【００５２】
つぎに、扁平接続部材１と、コネクタ２との嵌合の作業手順について説明する。
まず、扁平接続部材１と、コネクタ２との嵌合作業の前段階の作業として、カバー８をハウジング６に組み付けてコネクタを形成する。具体的には、図１に図示するカバー８のスライド凸部２５をハウジング６のスライド溝１８に嵌合する。そして、ハウジング６の後方にスライドさせ、カバー８のカバー側係止部２６をハウジング６の接続部材突き当て部１５の上面に形成される被係止部３５に係止することでカバー８をハウジング６に組み付ける。以上により、コネクタ２が形成される。
カバー８をハウジング６に組み付けると、図３及び図５に図示するように、扁平接続部材１のコネクタ接続部３に対する挿通口３７と、接続部材収容部１２とが形成される。
【００５３】
つぎに、扁平接続部材１のコネクタ接続部３を挿入口３７に挿入する。扁平接続部材１のコネクタ接続部３の挿入方向は、図３に図示する矢印Ｂが指示する方向となる。
挿入口３７から挿入された扁平接続部材１のコネクタ接続部３は、まず、ペグ９の係合部３０に形成されたテーパー部３４に当接する。さらに、扁平接続部材１を接続部材収容部１２内に差し込んでいくと、扁平接続部材１のコネクタ接続部３の先端の縁部がテーパー部３４に摺接することにより係合部３０は、上方に弾性変形する。そして、上方に弾性変形した状態の係合部３０の頂部に扁平接続部材１のコネクタ接続部３の上面を摺接させつつ、扁平接続部材１を接続部材収容部１２内に差し込んでいく。
【００５４】
しかる後、扁平接続部材１のコネクタ接続部３に形成される接続部材側係合孔４が係合部３０の位置に到達すると、扁平接続部材１のコネクタ接続部３が係合部３０を乗り越え、弾性変形していた係合部３０が元の位置に復帰して図５に図示するように接続部材側係合孔４に係合する。このとき、扁平接続部材１のコネクタ接続部３の先端は、ハウジング６の接続部材突き当て部１５に当接する。以上により、扁平接続部材１のコネクタ接続部３は、接続部材収容部１２に差し込み収容され、接続部材収容部１２に固定されて、一連の作業が完了する。
【００５５】
係合部３０が接続部材側係合孔４に係合すると、嵌合後は、ペグ９が扁平接続部材１のコネクタ接続部３に荷重を与え続けることで、扁平接続部材１のコネクタ接続部３は、複数のコンタクト７と接触する。すなわち電気的に接続する。
【００５６】
以上のように、カバー８をハウジング６に組み付けてコネクタ２を形成した後は、扁平接続部材１のコネクタ接続部３を挿入口３７を介して接続部材収容部１２に差し込み収容するだけで、係合部３０が弾性変形した後に接続部材側係合孔４に係合してコネクタ接続部３が固定され、扁平接続部材１とコネクタ２との嵌合及び電気的な接続が完了する。本発明は、扁平接続部材１のコネクタ接続部３を挿入口３７を介して接続部材収容部１２に差し込み収容する１アクションだけでよい。
【００５７】
つぎに、扁平接続部材１と、コネクタ２との嵌合を解除する作業手順について説明する。
まず、カバー８を、図５に図示する矢印Ｄの方向（すなわち、カバー８をハウジングに６に組み付ける際のカバー８の組み付け方向）に押圧する。すると、カバー８の第２押圧部２８がペグ９の解除部３３を押圧する。このとき、カバー８の第１押圧部２７がペグ９の弾性接触部３１を押圧し矢印Ｄの方向に弾性変形させる。これにより、カバー８の矢印Ｄの方向へのスライドが可能となり、第２押圧部２８が解除部３３をさらに矢印Ｄの方向に押圧する。
【００５８】
すると、解除部３３に連成される係合部３０が上方に弾性変形し、係合部３０と扁平接続部材１のコネクタ接続部３に形成される接続部材側係合孔４との係合が解除される。しかる後、扁平接続部材１のコネクタ接続部３を接続部材収容部１２から抜き取ることにより一連の作業が完了する。
【００５９】
以上のように、カバー８を組み付け方向に押し込むだけで、弾性接触部３１が弾性変形してカバー８のスライドを許容するとともに、解除部３３が弾性変形した後に係合部３０と接続部材側係合孔４との係合を解除する。すなわち、本発明は、カバー８を組み付け方向に押し込むだけで、扁平接続部材１とコネクタ２との嵌合を解除することができる。
【００６０】
以上、図１ないし図５を参照しながら説明してきたように、本発明によれば、従来よりも作業性の向上を図ることができるという効果を奏する。
【実施例２】
【００６１】
本発明に係るコネクタ接続構造は、実施例１の他、下記の実施例２を用いてもよいものとする。
図６及び図７には、本発明に係るコネクタ接続構造の実施例２が示されている。
図６は、本発明のコネクタ接続構造が適用される実施例２を示す斜視図であって、（ａ）は図１において矢印Ａが指示する部分に相当する部分の拡大斜視図、（ｂ）はペグの斜視図、図７は、図６（ａ）に図示するハウジングにカバーを組み付けた状態におけるＥ−Ｅ間断面図である。
【００６２】
引用符号５０は、本発明に係るコネクタ接続構造の実施例２が適用されるコネクタの構成部材の１つであるハウジングを示している。ハウジング５０は、特に符号を付して各部分の構成及び構造を説明しないが、図１に図示するハウジング６と基本的に同じような構成及び構造を有している。実施例２におけるコネクタ４０は、図７に図示するように、ハウジング５０にカバー７０を組み付けることによって形成される。なお、コネクタ４０の構成部品である複数のコンタクトは、図６（ａ）では図示を省略するものとする。
【００６３】
引用符号６１は、実施例２におけるペグを示している。図６に図示するペグ６１は、基板固定部６８と、ハウジング着脱部６２と、ロック部６９とを有して図示形状に形成される。
基板固定部６８は、プリント基板（図示せず）に固定される部分として形成される。すなわち、基板固定部６８は、ハウジング５０をプリント基板に固定するための部分として形成される。
ハウジング着脱部６２は、基板固定部６８に連成され、ハウジング５０の差し込み固定部５１に差し込み固定される部分と、ハウジング５０の外側に導出される部分とを有する形状に形成される。
【００６４】
ロック部６９は、ハウジング着脱部６２に連成され、図７に図示する扁平接続部材１００のコネクタ接続部１０３を接続部材収容部５１内に固定するための部分として形成される。ロック部６９は、係合部６３と、弾性接触部６４と、解除部６５と、平面部６６とを備えて構成される。
係合部６３は、平面部６６を介してハウジング着脱部６２に連成される。係合部６３は、図７に図示する扁平接続部材１００のコネクタ接続部１０３に設けられる接続部材側係合孔１０４に係合する部分として形成される。係合部６３には、テーパー部６７が形成される。
【００６５】
弾性接触部６４は、平面部６６を介してハウジング着脱部６２に連成され、ハウジング５０に組み付けた状態のカバー７０を組み付け方向に押し込むとカバー７０の第１押圧部７１が当接して弾性変形し、カバー７０のスライドを許容する部分として形成される。
【００６６】
解除部６５は、係合部６３に連成され、カバー７０をハウジング５０に組み付けたときにカバー７０の第２押圧部７２が当接する部分として形成される。解除部６５は、ハウジング５０に組み付けた状態のカバー７０を組み付け方向に押し込むと弾性変形し、係合部６３と接続部材側係合孔１０４との係合を解除することができるように形成される。
平面部３６は、ハウジング着脱部６２に連成されるとともに、係合部６３と、弾性接触部６４とに連成される平板状の部分として形成される。
【００６７】
ハウジング５０に対するカバー７０の組み付けは、図７に図示するカバー７０のスライド凸部（図示せず）を図６（ａ）に図示するハウジング５０のスライド溝５３に嵌合し、ハウジング５０の後方にスライドさせることで行う。
【００６８】
扁平接続部材１００と、コネクタ４０とを嵌合するには、まず、図７に図示する扁平接続部材１００のコネクタ接続部１０３をコネクタ４０の挿入口４１に挿入しコネクタ接続部１０３の先端の縁部をテーパー部６７に摺接する。すると、係合部６３は、上方に弾性変形する。上方に弾性変形した状態の係合部６３の頂部に扁平接続部材１００のコネクタ接続部１０３の上面を摺接させつつ、扁平接続部材１００を接続部材収容部５１内に差し込んでいく。
しかる後、扁平接続部材１００のコネクタ接続部１０３に形成される接続部材側係合孔１０４が係合部６３の位置に到達すると、扁平接続部材１００のコネクタ接続部１０３が係合部６３を乗り越え、弾性変形していた係合部６３が元の位置に復帰して図７に図示するように接続部材側係合孔１０４に係合する。以上により、扁平接続部材１００のコネクタ接続部１０３は、接続部材収容部５１に差し込み収容され、接続部材収容部５１に固定されて、一連の作業が完了する。
【００６９】
つぎに、扁平接続部材１００と、コネクタ４０との嵌合を解除するには、まず、カバー７０を、図７に図示する矢印Ｆの方向にスライドさせ、カバー７０の第２押圧部７２でペグ６１の解除部６５を押圧する。このとき、カバー７０の第１押圧部７１がペグ６１の弾性接触部６４（図６（ａ）参照）を押圧し矢印Ｆの方向に弾性変形させる。これにより、カバー７０の矢印Ｆの方向へのスライドが可能となり、第２押圧部７２が解除部６５をさらに矢印Ｆの方向に押圧する。
すると、解除部６５に連成される係合部６３が上方に弾性変形し、係合部６３と扁平接続部材１００のコネクタ接続部１０３に形成される接続部材側係合孔１０４との係合が解除される。しかる後、扁平接続部材１００のコネクタ接続部１０３を接続部材収容部５１から抜き取ることにより一連の作業が完了する。
【００７０】
以上、図６及び図７を参照しながら説明してきたように、本発明のコネクタ接続構造によれば、実施例１と同様の効果を奏する。
【００７１】
この他、本発明は本発明の主旨を変えない範囲で種々変更実施可能なことは勿論である。
【符号の説明】
【００７２】
１，１００…扁平接続部材、  ２，４０…コネクタ、  ３，１０３…コネクタ接続部（先端部）、  ４，１０４…接続部材側被係合孔（被係合部）、  ６，５０…ハウジング、  ７…コンタクト、  ８，７０…カバー、  ９，６１…ペグ、  １０…ハウジング基部、  １１…側壁部、  １２，５１…接続部材収容部（収容部）、  １３…収容開始時案内部、  １４…収容時ガイド部、  １５…接続部材突き当て部、  １６…コンタクト露出部、  １７…コネクタ側係合孔、  １８，５３…スライド溝、  １９，５２…差し込み固定部、  ２０，６９…ロック部、  ２１…基板接続部、  ２２…電気接続部、  ２３…カバー基部、  ２５…スライド凸部、  ２６…カバー側係止部、  ２７，７１…第１押圧部、  ２８，７２…第２押圧部、  ２９，６２…ハウジング着脱部、  ３０，６３…係合部、  ３１，６４…弾性接触部、  ３２…スリット、  ３３，６５…解除部、  ３４，６７…テーパー部、  ３５…被係止部、  ３６，６６…平面部、  ３７，４１…挿入口、  ３８，６８…基板固定部
【図１】
2016046003.tif 000003
【図２】
2016046003.tif 000004
【図３】
2016046003.tif 000005
【図４】
2016046003.tif 000006
【図５】
2016046003.tif 000007
【図６】
2016046003.tif 000008
【図７】
2016046003.tif 000009